【手続補正書】
【提出日】平成22年3月4日(2010.3.4)
【手続補正１】
【補正対象書類名】特許請求の範囲
【補正対象項目名】全文
【補正方法】変更
【補正の内容】
【特許請求の範囲】
【請求項１】
撮像手段と、
外部記憶媒体を装着可能な装着部と、
撮影モード及び再生モードを含む複数の動作モードのうちから動作モードを指定するモード指定手段
とを具備する撮像装置であって、
前記装着部に装着された前記外部記憶媒体が書換え不能記憶媒体であるか否かを判別する記憶媒体判別手段と、
前記書換え不能記憶媒体が記録可能かどうかを判定する記録可能判別手段と、
前記モード指定手段により指定された動作モードに基づき、前記撮像装置を起動させる起動制御手段
とを具備し、
記録可能な前記書換え不能記憶媒体が装着されていると判別され、かつ前記モード指定手段により再生モードが指定されている場合、前記起動制御手段は、前記書換え不能記憶媒体に記憶された記録画像のうち、最後に撮影された記録画像あるいは最後に再生された記録画像を再生する第１の再生モードで前記撮像装置を起動させ、
記録不能な前記書換え不能記憶媒体が装着されていると判別され、かつ前記モード指定手段により再生モードが指定されている場合、前記起動制御手段は、前記書換え不能記憶媒体に記録された記録画像を、前記第１の再生モードとは異なる態様で再生する第２の再生モードで前記撮像装置を起動させる
ことを特徴とする撮像装置。
【請求項２】
撮像手段と、
外部記憶媒体を装着可能な装着部と、
撮影モード及び再生モードを含む複数の動作モードのうちから動作モードを指定するモード指定手段
とを具備する撮像装置であって、
前記装着部に装着された前記外部記憶媒体が書換え不能記憶媒体であるか否かを判別する記憶媒体判別手段と、
前記書換え不能記憶媒体が記録可能かどうかを判定する記録可能判別手段と、前記モード指定手段により指定された動作モードに基づき、前記撮像装置を起動させる起動制御手段
とを具備し、
記録可能な前記書換え不能記憶媒体が装着されていると判別され、かつ前記モード指定手段により再生モードが指定されている場合、前記起動制御手段は、前記書換え不能記憶媒体に記憶された記録画像のうち、最後に撮影された記録画像あるいは最後に再生された記録画像を再生する第１の再生モードで前記撮像装置を起動させ、
記録不能な前記書換え不能記憶媒体が装着されていると判別され、かつ前記モード指定手段により再生モードが指定されている場合、前記起動制御手段は、前記第１の再生モードで起動するか、前記書換え不能記憶媒体に記録された記録画像を、前記第１の再生モードとは異なる態様で再生する第２の再生モードで起動するかの選択に従い、前記第１の再生モード又は第２の再生モードで前記撮像装置を起動させる
ことを特徴とする撮像装置。
【請求項３】
前記第２の再生モードは、前記書換え不能記憶媒体内の記録画像をスライドショーするモードであることを特徴とする請求項１又は２に記載の撮像装置。
【請求項４】
前記第２の再生モードは、前記書換え不能記憶媒体内の記録画像のサムネイル画像を一覧表示するモードであることを特徴とする請求項１又は２に記載の撮像装置。
【請求項５】
前記第２の再生モードは、前記書換え不能記憶媒体内の代表画像を表示するモードであることを特徴とする請求項１又は２に記載の撮像装置。
【請求項６】
前記第２の再生モードは、前記書換え不能記憶媒体内の記録画像のうち撮影時刻が最も古い画像を表示するモードであることを特徴とする請求項１又は２に記載の撮像装置。
【請求項７】
前記記録可能判別手段は、前記外部記憶媒体の残り撮影可能枚数が０枚かどうかを判別することを特徴とする請求項１乃至６のいずれか１項に記載の撮像装置。
【請求項８】
前記記録可能判別手段は、前記外部記憶媒体においてファイナライズ処理が行われているかどうかを判別することを特徴とする請求項１乃至６のいずれか１項に記載の撮像装置。
【請求項９】
撮像手段と、外部記憶媒体を装着可能な装着部と、撮影モード及び再生モードを含む複数の動作モードのうちから動作モードを指定するモード指定手段とを具備する撮像装置の制御方法であって、
前記装着部に装着された外部記憶媒体が書換え不能記憶媒体であるか否かを判別する記憶媒体判別ステップと、
前記装着部に装着された外部記憶媒体が書換え不能記憶媒体である場合に記録可能かどうかを判定する記録可能判別ステップと、
記録可能な前記書換え不能記憶媒体が装着されていると判別され、かつ前記モード指定手段により再生モードが指定されている場合に、前記書換え不能記憶媒体に記憶された記録画像のうち、最後に撮影された記録画像あるいは最後に再生された記録画像を再生する第１の再生モードで前記撮像装置を起動させる第１の起動制御ステップと、
記録不能な前記書換え不能記憶媒体が装着されていると判別され、かつ前記モード指定手段により再生モードが指定されている場合に、前記書換え不能記憶媒体に記録された記録画像を、前記第１の再生モードとは異なる態様で再生する第２の再生モードで前記撮像装置を起動させる第２の起動制御ステップ
とを具備することを特徴とする撮像装置の制御方法。
【請求項１０】
撮像手段と、外部記憶媒体を装着可能な装着部と、撮影モード及び再生モードを含む複数の動作モードのうちから動作モードを指定するモード指定手段とを具備する撮像装置の制御方法であって、
前記装着部に装着された外部記憶媒体が書換え不能記憶媒体であるか否かを判別する記憶媒体判別ステップと、
前記装着部に装着された外部記憶媒体が書換え不能記憶媒体である場合に記録可能かどうかを判定する記録可能判別ステップと、
記録可能な前記書換え不能記憶媒体が装着されていると判別され、かつ前記モード指定手段により再生モードが指定されている場合に、前記書換え不能記憶媒体に記憶された記録画像のうち、最後に撮影された記録画像あるいは最後に再生された記録画像を再生する第１の再生モードで前記撮像装置を起動させる第１の起動制御ステップと、
記録不能な前記書換え不能記憶媒体が装着されていると判別され、かつ前記モード指定手段により再生モードが指定されている場合に、前記第１の再生モードで起動するか、前記書換え不能記憶媒体に記録された記録画像を、前記第１の再生モードとは異なる態様で再生する第２の再生モードで起動するかの選択に従い、前記第１の再生モード又は第２の再生モードで前記撮像装置を起動させる第２の起動制御ステップ
とを具備することを特徴とする撮像装置の制御方法。
【手続補正２】
【補正対象書類名】明細書
【補正対象項目名】０００２
【補正方法】変更
【補正の内容】
【０００２】
近年、デジタルカメラ等で使用する交換可能な外部記憶媒体として、コストを下げる目的で書換えが不可能な記憶媒体が、使用される。そのような書換え不能記憶媒体には、１セッションでしかデータを書き込めず、書込み済みのデータを書換えできない記憶媒体（いわゆるワンセッション型書換え不能記憶媒体）と、複数セッションにわたり書込みできるが、書込み済みのデータを書換えできない記憶媒体（いわゆる、マルチセッション型書換え不能記憶媒体）とがある。但し、書込み済みのデータを削除できるものと、削除できないものとがある。
【手続補正３】
【補正対象書類名】明細書
【補正対象項目名】０００７
【補正方法】変更
【補正の内容】
【０００７】
上記の目的を達成するために、本発明に係る撮像装置は、撮像手段と、外部記憶媒体を装着可能な装着部と、撮影モード及び再生モードを含む複数の動作モードのうちから動作モードを指定するモード指定手段とを具備する撮像装置であって、前記装着部に装着された前記外部記憶媒体が書換え不能記憶媒体であるか否かを判別する記憶媒体判別手段と、前記書換え不能記憶媒体が記録可能かどうかを判定する記録可能判別手段と、前記モード指定手段により指定された動作モードに基づき、前記撮像装置を起動させる起動制御手段とを具備し、記録可能な前記書換え不能記憶媒体が装着されていると判別され、かつ前記モード指定手段により再生モードが指定されている場合、前記起動制御手段は、前記書換え不能記憶媒体に記憶された記録画像のうち、最後に撮影された記録画像あるいは最後に再生された記録画像を再生する第１の再生モードで前記撮像装置を起動させ、記録不能な前記書換え不能記憶媒体が装着されていると判別され、かつ前記モード指定手段により再生モードが指定されている場合、前記起動制御手段は、前記書換え不能記憶媒体に記録された記録画像を、前記第１の再生モードとは異なる態様で再生する第２の再生モードで前記撮像装置を起動させることを特徴とする。
【手続補正４】
【補正対象書類名】明細書
【補正対象項目名】０００８
【補正方法】変更
【補正の内容】
【０００８】
本発明に係る撮像装置は、撮像手段と、外部記憶媒体を装着可能な装着部と、撮影モード及び再生モードを含む複数の動作モードのうちから動作モードを指定するモード指定手段とを具備する撮像装置であって、前記装着部に装着された前記外部記憶媒体が書換え不能記憶媒体であるか否かを判別する記憶媒体判別手段と、前記書換え不能記憶媒体が記録可能かどうかを判定する記録可能判別手段と、前記モード指定手段により指定された動作モードに基づき、前記撮像装置を起動させる起動制御手段とを具備し、記録可能な前記書換え不能記憶媒体が装着されていると判別され、かつ前記モード指定手段により再生モードが指定されている場合、前記起動制御手段は、前記書換え不能記憶媒体に記憶された記録画像のうち、最後に撮影された記録画像あるいは最後に再生された記録画像を再生する第１の再生モードで前記撮像装置を起動させ、記録不能な前記書換え不能記憶媒体が装着されていると判別され、かつ前記モード指定手段により再生モードが指定されている場合、前記起動制御手段は、前記第１の再生モードで起動するか、前記書換え不能記憶媒体に記録された記録画像を、前記第１の再生モードとは異なる態様で再生する第２の再生モードで起動するかの選択に従い、前記第１の再生モード又は第２の再生モードで前記撮像装置を起動させることを特徴とする。
【手続補正５】
【補正対象書類名】明細書
【補正対象項目名】０００９
【補正方法】変更
【補正の内容】
【０００９】
本発明に係る撮像装置の制御方法は、撮像手段と、外部記憶媒体を装着可能な装着部と、撮影モード及び再生モードを含む複数の動作モードのうちから動作モードを指定するモード指定手段とを具備する撮像装置の制御方法であって、前記装着部に装着された外部記憶媒体が書換え不能記憶媒体であるか否かを判別する記憶媒体判別ステップと、前記装着部に装着された外部記憶媒体が書換え不能記憶媒体である場合に記録可能かどうかを判定する記録可能判別ステップと、記録可能な前記書換え不能記憶媒体が装着されていると判別され、かつ前記モード指定手段により再生モードが指定されている場合に、前記書換え不能記憶媒体に記憶された記録画像のうち、最後に撮影された記録画像あるいは最後に再生された記録画像を再生する第１の再生モードで前記撮像装置を起動させる第１の起動制御ステップと、記録不能な前記書換え不能記憶媒体が装着されていると判別され、かつ前記モード指定手段により再生モードが指定されている場合に、前記書換え不能記憶媒体に記録された記録画像を、前記第１の再生モードとは異なる態様で再生する第２の再生モードで前記撮像装置を起動させる第２の起動制御ステップとを具備することを特徴とする。
【手続補正６】
【補正対象書類名】明細書
【補正対象項目名】００１０
【補正方法】変更
【補正の内容】
【００１０】
本発明に係る撮像装置の制御方法は、撮像手段と、外部記憶媒体を装着可能な装着部と、撮影モード及び再生モードを含む複数の動作モードのうちから動作モードを指定するモード指定手段とを具備する撮像装置の制御方法であって、前記装着部に装着された外部記憶媒体が書換え不能記憶媒体であるか否かを判別する記憶媒体判別ステップと、前記装着部に装着された外部記憶媒体が書換え不能記憶媒体である場合に記録可能かどうかを判定する記録可能判別ステップと、記録可能な前記書換え不能記憶媒体が装着されていると判別され、かつ前記モード指定手段により再生モードが指定されている場合に、前記書換え不能記憶媒体に記憶された記録画像のうち、最後に撮影された記録画像あるいは最後に再生された記録画像を再生する第１の再生モードで前記撮像装置を起動させる第１の起動制御ステップと、記録不能な前記書換え不能記憶媒体が装着されていると判別され、かつ前記モード指定手段により再生モードが指定されている場合に、前記第１の再生モードで起動するか、前記書換え不能記憶媒体に記録された記録画像を、前記第１の再生モードとは異なる態様で再生する第２の再生モードで起動するかの選択に従い、前記第１の再生モード又は第２の再生モードで前記撮像装置を起動させる第２の起動制御ステップとを具備することを特徴とする。